(57)【要約】【課題】再生部のクランプとアンクランプとの切り換えと、保持部材の記録媒体の係止と非係止との切り換えとを確実に行うことができる記録媒体再生装置を提供する。【解決手段】ＣＤチェンジャは機器本体３とディスク再生部５とディスク収容部６とディスク変位機構７を備えている。ディスク再生部５はＣＤ２をクランプして該ＣＤ２を再生する。ディスク収容部６はトレイ３５を複数備えている。トレイ３５はＣＤ２の外縁部に係止して該ＣＤ２を保持する。ディスク変位機構７はディスク再生部５にＣＤ２をクランプさせた後トレイ３５のＣＤ２への係止を解除する。ディスク変位機構７はトレイ３５にＣＤ２に係止させた後ディスク再生部５のＣＤ２のクランプを解除する。【選択図】図３
2008059617.tif 000002
【特許請求の範囲】
【請求項１】
記録媒体に係止して該記録媒体を保持可能な保持部材と、
前記保持部材に保持された記録媒体をクランプして再生する再生部と、
前記保持部材に保持された記録媒体を前記再生部にクランプさせた後、前記保持部材の係止を解除するとともに、
前記再生部にクランプされた記録媒体に前記保持部材を係止させた後、前記再生部のクランプを解除する記録媒体変位機構と、
を備えたことを特徴とする記録媒体再生装置。
【請求項２】
前記記録媒体変位機構は、
機器本体に移動自在に設けられたカム部材を備え、
前記カム部材は、前記機器本体に対して移動することにより、前記保持部材の係止の解除が完了するまで、該保持部材に保持された記録媒体を前記再生部に押し付けるとともに、
前記再生部のクランプの解除が完了するまで、保持部材を前記再生部にクランプされた記録媒体に押し付けることを特徴とする請求項１記載の記録媒体再生装置。
【請求項３】
前記保持部材は、互いに接離自在に複数設けられ、
前記カム部材は、前記機器本体に対して移動することにより、前記複数の保持部材のうちの一の保持部材に保持された記録媒体と、他の保持部材に保持された記録媒体とを接離させることを特徴とする請求項２記載の記録媒体再生装置。
【発明の詳細な説明】
【技術分野】
【０００１】
本発明は、例えば、自動車などに搭載される記録媒体再生装置に関し、更に詳しくは、複数の記録媒体を機器本体内に収容し、これらの記録媒体のうち一つの記録媒体に記録された情報を再生する記録媒体再生装置に関する。
【背景技術】
【０００２】
コンパクトディスク（以下、ＣＤと記す）などの記録媒体を複数枚収容し、これら複数の記録媒体から任意の一つの記録媒体の情報を再生する記録媒体再生装置が用いられている（例えば、特許文献１参照）。この種の記録媒体再生装置は、例えば、自動車などに搭載されるとともに、機器本体と、複数の保持部材と、再生部と、記録媒体変位機構などを備えている。
【０００３】
機器本体は、扁平な箱状に形成されている。複数の保持部材は、互いに重ねられた格好で機器本体内に収容されている。保持部材は、それぞれ、記録媒体に係止して、該記録媒体を保持する。複数の保持部材は、記録媒体の表面に対し直交する方向に沿って、互いに接離自在に設けられている。
【０００４】
再生部は、機器本体に一端部を中心として回転自在に設けられた揺動シャーシと、この揺動シャーシ上に設置されたピックアップ駆動部とを備えている。ピックップ駆動部は、揺動シャーシに設けられたターンテーブルと、光ピックアップと、を備えている。ターンテーブルは、記録媒体をクランプして、この記録媒体を回転する。光ピックアップは、ターンテーブルに接離して、記録媒体の情報記録面の所定の位置から情報を読み出す。
【０００５】
記録媒体変位機構は、図１に示されたカム部材１０１を備えている。カム部材１０１は、機器本体に、その長手方向に沿って移動自在に設けられている。カム部材１０１は、保持部材に設けられた突起が侵入可能なカム溝１０２を備えている。カム溝１０２には、前述の突起が侵入して、前記再生部のクランプとアンクランプとを切り換えるとともに、前記保持部材の記録媒体の係止と非係止とを切り換えるための切り換え箇所１０３が設けられている。
【０００６】
前述した記録媒体変位機構は、一つの保持部材の突起をカム溝１０２内に位置付け、他の保持部材の突起をカム部材１０１の上方又は下方に位置付けることで、複数の保持部材それぞれを、これらの保持部材が重なる方向に沿って移動する。記録媒体変位機構は、複数の保持部材を移動して、情報を再生する記録媒体を保持した一つの保持部材の突起をカム溝１０２内に位置付けることで、前述した一つの保持部材を、他の保持部材から離す。
【０００７】
前述した記録媒体再生装置は、記録媒体変位機構が一つの記録媒体を保持した保持部材を、他の保持部材から離す。そして、記録媒体再生装置は、再生部の揺動シャーシが一端部を中心として回転することで、ピックップ駆動部が、前述した一つの記録媒体と他の記録媒体との間に侵入する。記録媒体再生装置は、ターンテーブルが前述した一つの記録媒体をクランプして回転する。記録媒体再生装置は、光ピックアップが記録媒体から情報を読み出して、この読み出した情報を再生する。
【０００８】
また、前述した記録媒体変位機構は、記録媒体から情報を読み出していない状態から一つの保持部材に保持された記録媒体の情報を読み出す際に、カム部材１０１を移動して、前記一つの保持部材の突起を徐々にカム溝１０２の奥に挿入する。そして、前述した記録媒体変位機構は、突起が前述した切り換え箇所１０３に位置すると、前述した一つの保持部材の記録媒体の係止を解除するとともに、該一つの保持部材に保持された記録媒体を再生部にクランプさせる。
【０００９】
さらに、前述した記録媒体変位機構は、記録媒体の情報を読み出している状態から該記録媒体の情報の読み出しを停止する際に、カム部材１００を移動して、前記一つの保持部材の突起を徐々にカム溝１０２から徐々に抜け出させる。そして、前述した記録媒体変位機構は、突起が前述した切り換え箇所１０３に位置すると、前述した一つの保持部材に記録媒体を係止させるとともに、再生部の記録媒体のクランプを解除させる。
【特許文献１】特開２００２−３０４８００号公報
【発明の開示】
【発明が解決しようとする課題】
【００１０】
前述した従来の記録媒体再生装置は、前記再生部のクランプとアンクランプとの切り換えと、前記保持部材の記録媒体の係止と非係止との切り換えと、を同時に行っている。このため、従来の記録媒体再生装置は、再生部が記録媒体をクランプする前に保持部材の係止が解除されることがあった。この場合、再生部が記録媒体を回転出来ずに、該再生部が記録媒体の情報を読み出せないことがあった。
【００１１】
また、従来の記録媒体再生装置は、保持部材が記録媒体を係止する前に、再生部のクランプが解除されることがあった。この場合、保持部材に記録媒体を保持できずに、該記録媒体を機器本体から排出できなくなることがあった。
【００１２】
本発明の目的は、例えば、再生部のクランプとアンクランプとの切り換えと、前記保持部材の記録媒体の係止と非係止との切り換えと、を確実に行うことができる記録媒体再生装置を提供することにある。
【課題を解決するための手段】
【００１３】
前記課題を解決し目的を達成するために、請求項１に記載の本発明の記録媒体再生装置は、記録媒体に係止して該記録媒体を保持可能な保持部材と、前記保持部材に保持された記録媒体をクランプして再生する再生部と、前記保持部材に保持された記録媒体を前記再生部にクランプさせた後、前記保持部材の係止を解除するとともに、前記再生部にクランプされた記録媒体に前記保持部材を係止させた後、前記再生部のクランプを解除する記録媒体変位機構と、を備えたことを特徴としている。
【発明を実施するための最良の形態】
【００１４】
以下、本発明の一実施形態にかかる記録媒体再生装置を説明する。本発明の一実施形態にかかる記録媒体再生装置は、記録媒体変位機構が、記録媒体の情報を再生する際には、再生部に記録媒体をクランプさせた後、保持部材の係止を解除するとともに、記録媒体の再生を停止する際には、保持部材に記録媒体を係止させた後、再生部のクランプを解除する。こうすることで、記録媒体を、保持部材と再生部とのうち一方に常に保持させておき、前記再生部のクランプとアンクランプとの切り換えと、前記保持部材の記録媒体の係止と非係止との切り換えと、を確実に行うことができるようにしている。
【００１５】
また、記録媒体変位機構が、機器本体に移動自在なカム部材を備え、該カム部材が記録媒体の情報を再生する際には、再生部に記録媒体を押し付けるとともに、記録媒体からの情報の再生を停止する際には、保持部材を記録媒体に押し付けても良い。
【実施例】
【００１６】
以下、本発明の一実施例にかかる記録媒体再生装置の一例としてのＣＤチェンジャ１を、図２ないし図１７に基づいて説明する。図２などに示すＣＤチェンジャ１は、自動車などの移動体に装備されて、記録媒体としてのＣＤ２（図３及び図５などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１７】
ＣＤチェンジャ１は、図３に示すように、機器本体３（図１に示す）と、図示しない操作部と、図示しないディスク搬送部と、再生部としてのディスク再生部５と、収容部としてのディスク収容部６と、記録媒体変位機構としてのディスク変位機構７とを備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１８】
機器本体３は、合成樹脂からなる図１に示す外側ケース８と、板金などからなる図２などに示す固定シャーシ９とを備えている。
【００１９】
外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００２０】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。周板１２は、底板１１の図１中の幅方向Ｘの両縁から立設している。
【００２１】
操作部は、ＣＤチェンジャ１の使用者により押圧されるなどして操作される。操作部は、使用者に操作されることで、後述の複数のトレイ３５に保持されたＣＤ２のうち情報を読み出すＣＤ２を設定するために用いられるとともに、再生中のＣＤ２からの情報の読み出し（再生）を停止するために用いられる。操作部は、挿入口１０を通して機器本体３内にＣＤ２を出し入れするために用いられる。
【００２２】
ディスク搬送部４は、機器本体３内に収容されており、挿入口１０内にＣＤ２を通して、該ＣＤ２を機器本体３に出し入れする。
【００２３】
ディスク再生部５は、機器本体３内に収容されており、図９及び図１０などに示すように、揺動シャーシ１３と、クランプ部１４と、ピックアップ移動部１５と、ピックアップ部１６と、を備えている。
【００２４】
揺動シャーシ１３は、板金などからなり、帯板状に形成されている。揺動シャーシ１３は、一端部１３ａを中心として回動自在に前述した固定シャーシ９に支持されている。揺動シャーシ１３は、一端部１３ａを中心として回動することで、ディスク収容部６に収容される複数のＣＤ２間に他端部１３ｂが侵入する状態と、ディスク収容部６に収容される複数のＣＤ２間から他端部１３ｂが抜け出る状態とに亘って、図３中の矢印Ｊに沿って、変位自在になっている。
【００２５】
クランプ部１４は、図１１及び図１２に示すように、ターンテーブル１７と、スピンドルモータ１８と、可動部材１９と、突没部材としての複数のクランプ爪２０とを備えている。ターンテーブル１７は、揺動シャーシ１３の他端部１３ｂに回転自在に支持されている。ターンテーブル１７は、円板状に形成されており、表面１７ａ上にＣＤ２が置かれる。
【００２６】
また、ターンテーブル１７は、孔２１が複数形成されている。孔２１は、勿論、ターンテーブル１７を貫通している。図示例では、孔２１は、三つ設けられている。これらの孔２１は、前記表面１７ａに対し直交しかつ前記ターンテーブル１７の中心を通る軸芯を中心として、周方向に沿って等間隔に配されている。
【００２７】
スピンドルモータ１８は、揺動シャーシ１３の他端部１３ｂに設けられている。スピンドルモータ１８は、揺動シャーシ１３に固定されており、その出力軸がターンテーブル１７の中央に取り付けられている。スピンドルモータ１８は、ターンテーブル１７を前述した軸芯周りに回転する。
【００２８】
可動部材１９は、円環状に形成されている。可動部材１９は、内側にスピンドルモータ１８の出力軸を通し、スピンドルモータ１８とターンテーブル１７との間に配されている。可動部材１９は、ターンテーブル１７及びスピンドルモータ１８と同軸に配されている。可動部材１９は、前記軸芯に沿って移動自在に設けられている。このため、可動部材１９は、ターンテーブル１７の表面１７ａに対し直交する方向に沿って移動自在に設けられている。さらに、可動部材１９は、コイルばねなどにより、ターンテーブル１７に近づく方向に付勢されている。
【００２９】
クランプ爪２０は、図１１及び図１２に示すように、側方からみて、く字状に形成されている。クランプ爪２０は、ターンテーブル１７と可動部材１９との間でかつ前記孔２１内に設けられている。このため、クランプ爪２０は、ターンテーブル１７と可動部材１９との間に配されている。
【００３０】
クランプ爪２０は、一端部が孔２１を通して前記表面１７ａから突出するクランプ位置（図１２などに示す）と、一端部が表面１７ａ下に没するアンクランプ位置（図１３などに示す）と、に亘って変位自在に、他端部がターンテーブル１７に回転自在に支持されている。
【００３１】
クランプ爪２０の一端部は、図１２に示すように、可動部材１９がターンテーブル１７に近づくと、表面１７ａから突出する。また、一端部は、図１１に示すように、可動部材１９がターンテーブル１７から離れると、クランプ爪２０自体の自重によって、下方に変位する。そして、一端部は、可動部材１９がターンテーブル１７から離れると、表面１７ａ下に没する。
【００３２】
クランプ爪２０の一端部は、ターンテーブル１７の表面１７ａから突出すると、ターンテーブル１７上のＣＤ２の中央孔内に突出して、ターンテーブル１７との間にＣＤ２を挟む。クランプ爪２０は、一端部がターンテーブル１７との間に挟むことで、ＣＤ２をクランプする。
【００３３】
ピックアップ移動部１５は、揺動シャーシ１３上に設けられている。ピックアップ移動部１５は、図２に示すモータ２２と、ねじ軸２３などを備えている。モータ２２は、揺動シャーシ１３の一端部１３ａに配され、該揺動シャーシ１３に取り付けられている。モータ２２の出力軸にはウォームが取り付けられている。このウォームは、ねじ軸２３に取り付けられたウォームホイールと噛み合っている。
【００３４】
ねじ軸２３は、揺動シャーシ１３にその軸芯周りに回転自在に支持されている。ねじ軸２３の長手方向は、揺動シャーシ１３の長手方向と平行である。ねじ軸２３は、モータ２２と前述したウォームとウォームホイールなどにより、その軸芯周りに回転される。ピックアップ移動部１５は、ねじ軸２３を回転することで、ピックアップ部１６を、ねじ軸２３と揺動シャーシ１３の長手方向に沿ってスライドして、ターンテーブル１７に接離させる。なお、接離とは、互いに近づいたり離れたりすることである。
【００３５】
ピックアップ部１６は、再生手段としての光ピックアップ２４と、ピックアップケース２５とを備えている。光ピックアップ２４は、ターンテーブル１７に支持されたＣＤ２から情報を読み出す。ピックアップケース２５は、箱状に形成されており、光ピックアップ２４が出射する読取光（主ビーム）を通すことのできる窓２６と、ねじ軸２３に螺合するねじ孔とを備えている。ピックアップケース２５は、ねじ孔にねじ軸２３が螺合することで、ねじ軸２３が回転すると、該ねじ軸２３の長手方向に沿って移動する。
【００３６】
ピックアップ部１６は、ピックアップ移動部１５により、揺動シャーシ１３即ちねじ軸２３の長手方向に沿って移動し、ターンテーブル１７に接離する。ピックアップ部１６は、ターンテーブル１７に支持されたＣＤ２から情報を読み出す。
【００３７】
また、ピックアップケース２５即ちピックアップ部１６には、図１１及び図１２に示すように、侵入部２７が設けられている。侵入部２７は、ピックアップケース２５からターンテーブル１７に向かって凸に形成されている。侵入部２７は、ピックアップケース２５からターンテーブル１７に向かうにしたがって、徐々に薄くなるように形成されている。
【００３８】
侵入部２７は、ピックアップケース２５即ちピックアップ部１６がターンテーブル１７に近づくと、ターンテーブル１７と可動部材１９との間に侵入可能である。侵入部２７は、ピックアップケース２５即ちピックアップ部１６がターンテーブル１７に近づくと、ターンテーブル１７と可動部材１９との間に侵入して、前述したアンクランプ位置までターンテーブル１７から可動部材１９を離す。
【００３９】
前述した構成によって、ピックアップ部１６は、ターンテーブル１７に近づいて、前記侵入部２７がターンテーブル１７と可動部材１９との間に侵入して、可動部材１９をターンテーブル１７から離す位置（図９及び図１１に示す）と、該位置よりターンテーブル１７から離れて、侵入部２７がターンテーブル１７と可動部材１９との間に侵入せずに、可動部材１９をターンテーブル１７に近づけた状態に保つ位置（図１０及び図１２に示す）とに亘って、ターンテーブル１７に接離させる。
【００４０】
図９及び図１１に示す位置では、侵入部２７即ちピックアップ部１６は、クランプ部１４を前述したアンクランプ位置に保ち、ターンテーブル１７のＣＤ２のクランプを解除する。図１０及び図１２に示す位置では、侵入部２７即ちピックアップ部１６は、クランプ部１４を前述したクランプ位置に保ち、ターンテーブル１７にＣＤ２をクランプさせて、該ＣＤ２の情報を読み出すことができる。
【００４１】
ディスク再生部５は、揺動シャーシ１３の他端部１３ｂがＣＤ２間に侵入して、クランプ部１４のクランプ爪２０がＣＤ２をクランプするとともに、ターンテーブル１７がＣＤ２を回転する。ディスク再生部５は、ピックアップ部１６の光ピックアップ２４が、ターンテーブル１７により回転されたＣＤ２から情報を読み出す（ＣＤ２を再生する）。
【００４２】
ディスク収容部６は、機器本体３内に収容されており、図３に示すように、保持部材としてのトレイ３５を複数備えている。
【００４３】
トレイ３５は、底板１１と平行な状態で、互いに重ねられている。また、複数のトレイ３５は、保持するＣＤ２の表面に直交する方向（矢印Ｋ）に沿って、互いに接離自在に設けられている。
【００４４】
トレイ３５は、図５に示すように、トレイ本体２８と、一対の係止部材２９と、複数の突起３０とを備えている。トレイ本体２８は、板金からなり、平面形状がＣ字状（半環状、半リング状ともいう）に形成されている。トレイ本体２８は、そのＣ字状に形成された開口部が挿入口１０と相対する状態に配されている。
【００４５】
トレイ本体２８には、前述したＣＤ２の外形に沿った段差３１が形成されている。また、トレイ本体２８は、前述した段差３１の内側でかつ表面上にＣＤ２を位置付ける。
【００４６】
係止部材２９は、それぞれ、合成樹脂からなり、棒状（アーム状）に形成されている。係止部材２９は、それぞれ、トレイ本体２８の両端部２８ａ，２８ｂに、その長手方向の中央部を中心として回転自在に支持されている。係止部材２９は、後述する係止爪３２が段差３１からトレイ本体２８の内側に突出する図６に示す係止位置と、係止爪３２が段差３１に没する図８に示す非係止位置とに亘って、回転自在である。
【００４７】
また、係止部材２９は、トレイ本体２８に、係止位置と非係止位置とに亘る回転が許容されているとともに、前記係止位置と非係止位置を越えて回転することが規制されている。さらに、係止部材２９は、トレイ本体２８に取り付けられた付勢手段としてのばね３３により、前述した係止位置に向かって、則ち係止爪３２が段差３１よりトレイ本体２８の内側に突出するように、付勢されている。
【００４８】
また、係止部材２９は、図６に示すように、トレイ本体２８の端寄りの一端部に係止爪３２を設け、トレイ本体２８の端から離れた側の他端部に当接部３４を設けている。係止爪３２は、前述した係止位置でトレイ本体２８との間にＣＤ２の外縁部を位置付けて、該ＣＤ２の外縁部に係止する。このため、係止部材２９は、トレイ本体２８上に位置付けられるＣＤ２の外縁部に係止する。
【００４９】
当接部３４は、係止爪３２がＣＤ２の外縁部に係止した状態で、前述した他端部から機器本体３の幅方向Ｘに沿って、外側に突出している。当接部３４は、ディスク変位機構７の後述するカム部材３６ａ，３６ｂの第１カム部４０と当接する。当接部３４がカム部材３６ａ，３６ｂの第１カム部４０と当接すると、係止部材２９は、ばね３３の付勢力に抗して、回転して、前述した非係止位置に変位する。
【００５０】
突起３０は、トレイ本体２８の両端部２８ａ，２８ｂそれぞれに二つずつ設けられている。突起３０は、トレイ本体２８から幅方向Ｘに沿って、外側に向かって突出している。トレイ本体２８の両端部２８ａ，２８ｂそれぞれに二つ設けられた突起３０は、前述した奥行き方向Ｙに沿って、互いに間隔をあけて配されている。
【００５１】
トレイ３５は、挿入口１０を通して機器本体３に挿入されたＣＤ２がトレイ本体２８の開口部を通して内側に侵入してトレイ本体２８上に位置し、係止爪３２がＣＤ２の外縁部に係止することで、このＣＤ２を保持する。複数のトレイ３５は、各々が保持するＣＤ２の表面が互いに平行になるように、互いに重ねられて配されている。このように、ディスク収容部６は、ＣＤ２を保持可能な複数のトレイ３５を積層配列して収容する。
【００５２】
ディスク変位機構７は、図３に示すように、機器本体３内に収容されており、図示しない駆動源としてのモータと、駆動機構と、一対のカム部材３６ａ，３６ｂと、検出手段としてのスイッチ３７と、制御手段としてのＣＰＵ３８などを備えている。モータは、機器本体３の固定シャーシ９などに取り付けられている。駆動機構は、モータなどの駆動力により、一対のカム部材３６ａ，３６ｂを該カム部材３６ａ，３６ｂの長手方向に沿って、スライドさせる。
【００５３】
一対のカム部材３６ａ，３６ｂは、板状に形成され。かつ固定シャーシ９の底板１１から立設した状態に配されている。カム部材３６ａ，３６ｂは、その長手方向が奥行き方向Ｙと平行に配されている。一対のカム部材３６ａ，３６ｂは、機器本体３の幅方向Ｘに沿って、互いに間隔をあけて配され、前述したトレイ３５の外側に配されている。則ち、カム部材３６ａ，３６ｂは、トレイ３５と周板１２との間に配されている。
【００５４】
また、カム部材３６ａ，３６ｂは、後述の第１カム部４０と第２カム部４１とが奥行き方向Ｙに沿って、突起３０と間隔をあけて相対する位置と、後述のカム溝４２内に突起３０を位置付ける位置とに亘ってスライド自在に設けられている。カム部材３６ａ，３６ｂは、モータと駆動機構により、奥行き方向Ｙに沿って、スライド移動される。さらに、カム部材３６ａ，３６ｂは、カム溝４２内に突起３０が侵入していない状態で、厚み方向Ｚに沿って移動自在である。このように、カム部材３６ａ，３６ｂは、機器本体３に対して移動自在に設けられている。
【００５５】
カム部材３６ａ，３６ｂは、それぞれ、図４（ａ）及び図４（ｂ）に示すように、部材本体３９と、第１カム部４０と、第２カム部４１とを一体に備えている。部材本体３９は、帯板状に形成されている。
【００５６】
カム溝４２内に突起３０が侵入していない状態で、第１カム部４０は、部材本体３９のトレイ３５寄りの一端部に設けられている。第１カム部４０は、部材本体３９からトレイ３５に向かって凸に形成されている。また、第１カム部４０は、カム溝４２内に突起３０が侵入するように、カム部材３６ａ，３６ｂをスライドさせていくと、トレイ３５の係止部材２９の当接部３４と当接する。
【００５７】
カム溝４２内に突起３０が侵入していない状態で、第２カム部４１は、部材本体３９のトレイ３５から離れた側の他端部に設けられている。第２カム部４１は、部材本体３９からトレイ３５に向かって凸に形成されている。
【００５８】
第１カム部４０と、第２カム部４１とには、それぞれ、カム溝４２が形成されている。カム溝４２は、第１及び第２カム部４０，４１のトレイ３５と相対する表面から凹に形成されている。カム溝４２内には、一つのトレイ３５の突起３０が侵入可能である。カム溝４２は、図４（ａ）及び図４（ｂ）に示すように、開口部４３と、水平部４４と、上昇部４５と、第１下降部４６と、クランプ切り換え部４７と、第２下降部４８と、トレイ切り換え部４９と、再生位置５０とを備えている。
【００５９】
開口部４３は、カム溝４２内に突起３０が侵入していない状態で、突起３０と相対する。水平部４４は、カム溝４２内に突起３０が侵入していない状態で、開口部４３から水平方向に沿って前述した突起３０から離れる方向に直線状に延びている。上昇部４５は、カム溝４２内に突起３０が侵入していない状態で、水平部４４の突起３０から離れた側の端部に連なっているとともに、水平部４４から上方に向かいかつ突起３０から離れる方向に直線状に延びている。
【００６０】
第１下降部４６は、カム溝４２内に突起３０が侵入していない状態で、上昇部４５の突起３０から離れた側の端部に連なっているとともに、上昇部４５から下方に向かいかつ突起３０から離れる方向に直線状に延びている。クランプ切り換え部４７は、カム溝４２内に突起３０が侵入していない状態で、第１下降部４６の突起３０から離れた側の端部に連なっているとともに、第１下降部４６から水平方向に沿って突起３０から離れる方向に直線状に延びている。
【００６１】
第２下降部４８は、カム溝４２内に突起３０が侵入していない状態で、クランプ切り換え部４７の突起３０から離れた側の端部に連なっているとともに、クランプ切り換え部４７から下方に向かいかつ突起３０から離れる方向に直線状に延びている。トレイ切り換え部４９は、カム溝４２内に突起３０が侵入していない状態で、第２下降部４８の突起３０から離れた側の端部に連なっているとともに、第２下降部４８から水平方向に沿って突起３０から離れる方向に直線状に延びている。
【００６２】
再生位置５０は、カム溝４２内に突起３０が侵入していない状態で、トレイ切り換え部４９の突起３０から離れた側の端部に連なっているとともに、トレイ切り換え部４９から一旦下方に延びた後、前記突起３０から離れる方向に水平方向に沿って延びている。
【００６３】
また、前述したカム部材３６ａ，３６ｂは、突起３０がトレイ切り換え部４９に位置すると、第１カム部４０が係止部材２９の当接部３４に当接して、該係止部材２９をばね３３の付勢力に抗して回転して、係止爪３２によるＣＤ２の係止を解除する。前述したカム部材３６ａ，３６ｂは、突起３０がトレイ切り換え部４９と再生位置５０との間に位置すると、第１カム部４０が係止部材２９の当接部３４に当接したままとなり、係止爪３２によるＣＤ２の係止を解除したままとする。
【００６４】
さらに、前述したカム部材３６ａ，３６ｂは、突起３０がトレイ切り換え部４９より開口部４３側に位置すると、第１カム部４０が係止部材２９の当接部３４に当接せずに、該係止部材２９をＣＤ２に係止したままとする。こうして、カム部材３６ａ，３６ｂ則ちディスク変位機構７は、トレイ３５によるＣＤ２の係止と非係止とを切り換える。
【００６５】
スイッチ３７は、ＣＰＵ３８と接続しており、オン又はオフを示す情報をＣＰＵ３８に向かって出力する。スイッチ３７は、カム溝４２内に突起３０が侵入していない位置に、カム部材３６ａ，３６ｂが位置するとオフとなる。スイッチ３７は、突起３０が開口部４３からクランプ切り換え部４７に位置付けられるまでオフとなる。スイッチ３７は、前記突起３０が前記クランプ切り換え部４７に位置付けられる位置に、カム部材３６ａ，３６ｂが位置するとオンとなる。スイッチ３７は、前記突起３０が前記クランプ切り換え部４７と再生位置５０との間に位置する位置に、カム部材３６ａ，３６ｂが位置するとオンとなる。
【００６６】
このように、スイッチ３７は、オン・オフを切り換えることで、突起３０が、クランプ切り換え部４７より開口部４３側に位置するか、否か（クランプ切り換え部４７と再生位置５０との間に位置するか）を検出し、検出した結果をＣＰＵ３８に向かって出力する。
【００６７】
ＣＰＵ３８には、記憶手段としてのＲＯＭ５１が接続している。ＲＯＭ５１は、勿論、ＣＰＵ３８を動作させるためのプログラムを記憶している。更に、ＣＰＵ３８には、ドライバ５２を介して、前述のモータ２２が接続している。ＣＰＵ３８は、複数のトレイ３５のうち任意の一つのトレイ３５に保持されたＣＤ２から情報を読み出す際に、スイッチ３７からの情報に基づいて、前述したディスク再生部５のモータ２２を制御する。
【００６８】
ＣＰＵ３８は、スイッチ３７からオフの情報が入力すると、モータ２２を制御してピックアップ部１６をターンテーブル１７に最も近づけて、クランプ爪２０則ちディスク再生部５を前述したアンクランプ位置に位置付ける。則ち、ＣＰＵ３８は、スイッチ３７からオフの情報が入力すると、クランプ部１４則ちディスク再生部５がＣＤ２をクランプすることを規制する。
【００６９】
ＣＰＵ３８は、スイッチ３７からオンの情報が入力すると、モータ２２を制御してピックアップ部１６をターンテーブル１７から離して、クランプ爪２０則ちディスク再生部５を前述したクランプ位置に位置付ける。則ち、ＣＰＵ３８は、スイッチ３７からオンの情報が入力すると、クランプ部１４則ちディスク再生部５がＣＤ２をクランプすることを許容する。
【００７０】
前述した構成のＣＤチェンジャ１は、機器本体３内に収容した複数のＣＤ２のうち前述した操作部などにより任意に選択された一つのＣＤ２の情報を読み出す際には、まず、カム溝４２内に突起３０が侵入しない位置に、カム部材３６ａ，３６ｂを位置付けておく。また、全てのトレイ３５の係止部材２９は、図７に示すＣＤ２の外縁部に係止する係止位置に位置付けられている。
【００７１】
そして、揺動シャーシ１３の他端部１３ｂ即ちディスク再生部５のクランプ部１４とピックアップ部１６などを複数のＣＤ２間から退避させておく。さらに、図９及び図１１に示すように、侵入部２７ターンテーブル１７と可動部材１９との間に侵入して、クランプ爪２０をアンクランプ位置に位置付けておく。
【００７２】
そして、カム部材３６ａ，３６ｂを厚み方向Ｚに沿って移動して、図１３（ａ）及び図１３（ｂ）に示すように、情報が読み出される任意に選択された一つのＣＤ２を保持したトレイ３５の突起３０に、カム溝４２の開口部４３を相対させる。そして、カム部材３６ａ，３６ｂを、奥行き方向Ｙに沿ってスライドして、トレイ３５の突起３０に徐々に近づける。すると、前述した一つのＣＤ２を保持したトレイ３５の突起３０が、開口部４３を通してカム溝４２内に侵入する。前述した一つのＣＤ２を保持したトレイ３５の突起３０が、水平部４４を通り上昇部４５内に位置して、上昇部４５内を移動する。
【００７３】
すると、前述した一つのＣＤ２を保持したトレイ３５が、徐々に上昇する。また、前記一つのＣＤ２を保持したトレイ３５より上方（一方の側）に位置するトレイ３５の突起３０（符号３０ａで示す）は、カム部４０，４１の上側（一方の側）に位置付けられる。前記一つのＣＤ２を保持したトレイ３５より下方（他方の側）に位置するトレイ３５の突起３０（符号３０ｂで示す）は、カム部４０，４１の下側（他方の側）に位置付けられる。こうして、カム部材３６ａ，３６ｂは、機器本体３に対して移動することにより、複数のトレイ３５のうち一つのトレイ３５に保持されたＣＤ２と、他のトレイ３５に保持されたＣＤ２とを互いに離す。
【００７４】
また、前述した一つのＣＤ２を保持したトレイ３５の突起３０が、図１４（ａ）及び図１４（ｂ）に示すように、上昇部４５と第１下降部４６との交差部に位置すると、前述した一つのＣＤ２を保持したトレイ３５と、下方のトレイ３５との間に空間ができる。そして、揺動シャーシ１３が、一端部１３ａを中心として回転して、トレイ３５間則ちＣＤ２間に揺動シャーシ１３の他端部１３ｂ則ちピックアップ部１６とターンテーブル１７などが侵入する。このとき、勿論、ディスク再生部５は、図９及び図１１に示すように、アンクランプ位置に位置しているとともに、スイッチ３７は、オフとなっている。
【００７５】
さらに、カム溝４２の奥に突起３０が侵入するように、カム部材３６ａ，３６ｂをスライドさせていくと、突起３０が第１下降部４６内を通って、徐々に降下する。そして、突起３０がカム溝４２内に侵入したトレイ３５に保持されたＣＤ２は、ターンテーブル１７に押し付けられる。そして、突起３０が、図１５（ａ）及び図１５（ｂ）に示すように、クランプ切り換え部４７に位置する。
【００７６】
すると、スイッチ３７がオンになり、ＣＰＵ３８は、モータ２２を制御して、ピックアップ部１６をターンテーブル１７から離して、ディスク再生部５をクランプ位置に位置付ける。すると、可動部材１９がターンテーブル１７に近づいて、クランプ爪１２がＣＤ２に係止する。こうして、ターンテーブル１７則ちディスク再生部５が、図１０及び図１２に示すように、ＣＤ２をクランプする。
【００７７】
さらに、カム溝４２の奥に突起３０が侵入するように、カム部材３６ａ，３６ｂをスライドさせていくと、突起３０が第２下降部４８内を通って、徐々に降下する。そして、突起３０がカム溝４２内に侵入したトレイ３５に保持されたＣＤ２は、更に、ターンテーブル１７に押し付けられる。
【００７８】
そして、突起３０が、図１６（ａ）及び図１６（ｂ）に示すように、トレイ切り換え部４９に位置する。すると、第１カム部４０が、図８に示すように、係止部材２９の当接部３４に当接して、該係止部材２９をばね３３の付勢力に抗して、回転する。そして、前述した一つのＣＤ２を保持したトレイ３５のＣＤ２への係止を解除する。
【００７９】
このように、カム部材３６ａ，３６ｂは、複数のトレイ３５のうちの一つのトレイ３５に保持されたＣＤ２の情報を再生する際には、機器本体３に対して移動することにより、前記一つのトレイ３５のＣＤ２への係止の解除が完了するまで、該一つのトレイ３５に保持されたＣＤ２をディスク再生部５のターンテーブル１７に押し付ける。
【００８０】
さらに、カム溝４２の奥に突起３０が侵入するように、カム部材３６ａ，３６ｂをスライドさせていくと、突起３０が再生位置５０内を通って、徐々に降下する。このため、ディスク再生部５のターンテーブル１７にクランプされたＣＤ２から前述した一つのトレイ３５が離れる。
【００８１】
前述した突起３０は、図１７（ａ）及び図１７（ｂ）に示すように、カム溝４２の再生位置５０の奥に位置する。そして、ターンテーブル１７は、クランプしたＣＤ２を回転するとともに、ピックアップ部１６は、ＣＤ２から情報を読み出す（ＣＤ２を再生する）。このように、ディスク変位機構７は、複数のトレイ３５のうちの一つのトレイ３５に保持されたＣＤ２の情報を再生する際には、前記一つのトレイ３５に係止されたＣＤ２をディスク再生部５のターンテーブル１７にクランプさせた後、前記一つのトレイ３５の係止を解除する。
【００８２】
ＣＤ２からの情報の読み出し（ＣＤ２の再生）を停止する際には、ターンテーブル１７にクランプされたＣＤ２を保持する一つのトレイ３５の突起３０は、カム溝４２の再生位置５０の奥に位置している。そして、突起３０がカム溝４２の奥から開口部４３に向かう方向に、カム部材３６ａ，３６ｂをスライドする。
【００８３】
すると、カム溝４２内の突起３０は、再生位置５０内を通って上昇して、トレイ切り換え部４９に位置する。カム溝４２内の突起３０が上昇するので、前述した一つのトレイ３５は、ターンテーブル１７にクランプされたＣＤ２に近づく。さらに、突起３０がカム溝４２の奥から開口部４３に向かう方向に、カム部材３６ａ，３６ｂをスライドすると、第１カム部４０が係止部材２９の当接部３４に当接しなくなる。そして、ばね３３の付勢力により、係止部材２９が回転して、該係止部材２９の係止爪３２がＣＤ２の外縁に係止する。
【００８４】
そして、突起３０が、第２下降部４８内を通って徐々に上昇する。このため、前述した一つのトレイ３５は、更に、ターンテーブル１７にクランプされたＣＤ２に押し付けられる。そして、突起３０が、クランプ切り換え部４７内に位置する。すると、スイッチ３７がオンからオフになり、ＣＰＵ３８がモータ２２を制御して、ターンテーブル１７にピックアップ部１６を近づけて、ディスク再生部５を前述したアンクランプ位置に位置付ける。
【００８５】
そして、ターンテーブル１７のＣＤ２のクランプが解除される。このように、カム部材３６ａ，３６ｂは、一つのＣＤ２の情報の再生を停止する際には、、機器本体３に対して移動することにより、ディスク再生部５のターンテーブル１７のＣＤ２のクランプの解除が完了するまで、一つのトレイ３５を、ディスク再生部５のターンテーブル１７にクランプされたＣＤ２に押し付ける。
【００８６】
さらに、突起３０がカム溝４２の奥から開口部４３に向かう方向に、カム部材３６ａ，３６ｂをスライドすると、突起３０が第１下降部４６と上昇部４５との交差部に位置して、揺動シャーシ１３が一端部１３ａを中心として回転して、揺動シャーシ１３の他端部１３ｂ則ちピックアップ部１６とターンテーブル１７がＣＤ２間から抜け出る。
【００８７】
突起３０がカム溝４２の奥から開口部４３に向かう方向に、カム部材３６ａ，３６ｂをスライドすると、突起３０が、上昇部４５を通って降下した後、水平部４４と開口部４３とを通って、カム溝４２から抜け出る。こうして、一つのＣＤ２の情報の再生を停止する。
【００８８】
このように、ディスク変位機構７は、一つのＣＤ２の情報の再生を停止する際には、ディスク再生部５のターンテーブル１７にクランプされたＣＤ２を一つのトレイ３５に係止させた後、ディスク再生部５のターンテーブル１７のクランプを解除する。こうして、カム部材３６ａ，３６ｂは、機器本体３に対して移動することにより、複数のトレイ３５のうち一つのトレイ３５に保持されたＣＤ２と、他のトレイ３５に保持されたＣＤ２とを互いに接離させる。
【００８９】
本実施例によれば、ＣＤ２を、トレイ３５とディスク再生部５のターンテーブル１７とのうち一方に常に保持させておくので、ディスク再生部５のターンテーブル１７のクランプとアンクランプとの切り換えと、トレイ３５のＣＤ２の係止と非係止との切り換えと、を確実に行うことができる。
【００９０】
ディスク変位機構７が、機器本体３に移動自在なカム部材３６ａ，３６ｂを備え、該カム部材３６ａ，３６ｂが、ＣＤ２の情報を再生する際には、ディスク再生部５にＣＤ２を押し付けるとともに、ＣＤ２の情報の再生を停止する際には、トレイ３５をＣＤ２に押し付ける。このため、ＣＤ２の情報を再生する際には、ディスク再生部５にＣＤ２を確実にクランプでき、ＣＤ２からの情報の再生を停止する際には、トレイ３５にＣＤ２を確実に係止できる。
【００９１】
カム部材３６ａ，３６ｂが移動することで、トレイ３５を互いに接離するので、トレイ３５を互いに接離するための動力源と、トレイ３５の係止及びディスク再生部５のクランプを切り換えるための動力源と、を共通にできる。したがって、部品点数が増加することができ、コストの低減と小型化を図ることができる。
【００９２】
前述した実施例では、記録媒体としてのＣＤ２を複数収容するＣＤチェンジャ１を示している。しかしながら、本発明では、例えば、記録媒体としてのＭＤ（Mini Disc）を複数収容するＭＤチェンジャや、例えば、ＤＶＤ（Digital Versatile Disc）などの他の記録媒体を複数収容する記録媒体再生装置に適用しても良い。また、本発明は、前述したＣＤ、ＭＤ、ＤＶＤなどの記録媒体を一枚のみ収容する記録媒体再生装置にも適用できる。
【００９３】
また、前述した実施例では、スイッチ３７などの検出手段からの情報に基づいて、ディスク再生部５のターンテーブル１７のクランプとアンクランプとを切り換えている。しかしながら、本発明では、メカニカルな機構を用いて、カム部材３６ａ，３６ｂの移動に連動して、ディスク再生部５のターンテーブル１７のクランプとアンクランプとを切り換えても良い。
【００９４】
さらに、前述した実施例では、カム部材３６ａ，３６ｂの第１カム部４０を当接部３４に当接させるか否かで、トレイ３５のＣＤ２への係止と非係止とを切り換えている。しかしながら、本発明では、スイッチなどのカム部材３６ａ，３６ｂの位置をする検出手段を設けて、該検出手段からの情報に基づいて、トレイ３５のＣＤ２への係止と非係止とを切り換えても良い。
【００９５】
さらに、本発明では、検出手段としてスイッチ３７の他に種々のセンサを用いることができる。
【００９６】
また、前述した実施例では、カム部材３６ａ，３６ｂを板状に形成している。しかしながら、本発明では、カム部材３６ａ，３６ｂを円柱状に形成し外周面にカム溝４２を係止して、該カム部材３６ａ，３６ｂを軸芯回りに回転しても良い。
【００９７】
さらに、本発明では、カム部材３６ａ，３６ｂが、一つのトレイ３５に保持されたＣＤ２の情報を再生する際には、前記一つのトレイ３５の係止を解除するまで、該一つのトレイ３５に保持されたＣＤを上昇させて、該ＣＤ２をターンテーブル１７に押し付けても良い。ＣＤ２の情報の再生を停止する際には、ターンテーブル１７のクランプを解除するまで、一つのトレイ３５を下降させて、該一つのトレイ３５を前記ターンテーブル１７にクランプされたＣＤ２に押し付けても良い。
【００９８】
また、前述した実施例では、突起３０とカム溝７２により。トレイ３５を厚み方向Ｚに沿って、移動している。しかしながら、本発明では、他の機構により、トレイ３５を厚み方向Ｚに沿って、移動しても良い。
【００９９】
前述した実施例によれば、以下のＣＤチェンジャ１が得られる。
【０１００】
（付記１）ＣＤ２に係止して該ＣＤ２を保持可能なトレイ３５と、
前記トレイ３５に保持されたＣＤ２をクランプして再生するディスク再生部５と、
前記トレイ３５に保持されたＣＤ２を前記ディスク再生部５にクランプさせた後、前記トレイ３５の係止を解除するとともに、
前記ディスク再生部５にクランプされたＣＤ２に前記トレイ３５を係止させた後、前記ディスク再生部５のクランプを解除するディスク変位機構７と、
を備えたことを特徴とするＣＤチェンジャ１。
【０１０１】
（付記２）  前記ディスク変位機構７は、
機器本体３に移動自在に設けられたカム部材３６ａ，３６ｂを備え、
前記カム部材３６ａ，３６ｂは、前記機器本体３に対して移動することにより、前記トレイ３５の係止の解除が完了するまで、該トレイ３５に保持されたＣＤ２を前記ディスク再生部５に押し付けるとともに、
前記ディスク再生部５のクランプの解除が完了するまで、トレイ３５を前記ディスク再生部５にクランプされたＣＤ２に押し付けることを特徴とする付記１記載のＣＤチェンジャ１。
【０１０２】
（付記３）  前記トレイ３５は、互いに接離自在に複数設けられ、
前記カム部材３６ａ，３６ｂは、前記機器本体３に対して移動することにより、前記複数のトレイ３５のうちの一のトレイ３５に保持されたＣＤ２と、他のトレイ３５に保持されたＣＤ２とを接離させることを特徴とする付記２記載のＣＤチェンジャ１。
【０１０３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１０４】
【図１】従来の記録媒体再生装置としてのＣＤチェンジャのカム部材の平面図である。
【図２】本発明の一実施例にかかる記録媒体再生装置としてのＣＤチェンジャの外観を示す斜視図である。
【図３】図２に示されたＣＤチェンジャの概略の構成を示す説明図である。
【図４】図２に示されたＣＤチェンジャのカム部材の平面図である。
【図５】図２に示されたトレイの斜視図である。
【図６】図５に示されたトレイの要部を示す平面図である。
【図７】図６に示されたトレイの係止部材とカム部材の要部を示す平面図である。
【図８】図７に示された係止部材の当接部とカム部材の第１カム部が当接した状態を示す平面図である。
【図９】図２に示されたＣＤチェンジャのディスク再生部の構成を示す平面図である。
【図１０】図９に示されたＣＤチェンジャのディスク再生部が再生位置に位置付けられた状態を示す平面図である。
【図１１】図９中のＸＩ−ＸＩ線に沿う断面図である。
【図１２】図１０中のＸＩＩ−ＸＩＩ線に沿う断面図である。
【図１３】図４に示されたカム部材のカム溝の開口部が突起と相対した状態を示す平面図である。
【図１４】図１３に示された突起がカム溝の上昇部と第１下降部との交差部に位置した状態を示す平面図である。
【図１５】図１４に示された突起がカム溝のクランプ切り換え部に位置した状態を示す平面図である。
【図１６】図１５に示された突起がカム溝のトレイ切り換え部に位置した状態を示す平面図である。
【図１７】図１６に示された突起がカム溝の再生位置の奥に位置した状態を示す平面図である。
【符号の説明】
【０１０５】
１  ＣＤチェンジャ（記録媒体再生装置）
２  ＣＤ（記録媒体）
３  機器本体
５  ディスク再生部（再生部）
７  ディスク変位機構（記録媒体変位機構）
３５  トレイ（保持部材）
３６ａ，３６ｂ  カム部材
【図１】
2008059617.tif 000003
【図２】
2008059617.tif 000004
【図３】
2008059617.tif 000005
【図４】
2008059617.tif 000006
【図５】
2008059617.tif 000007
【図６】
2008059617.tif 000008
【図７】
2008059617.tif 000009
【図８】
2008059617.tif 000010
【図９】
2008059617.tif 000011
【図１０】
2008059617.tif 000012
【図１１】
2008059617.tif 000013
【図１２】
2008059617.tif 000014
【図１３】
2008059617.tif 000015
【図１４】
2008059617.tif 000016
【図１５】
2008059617.tif 000017
【図１６】
2008059617.tif 000018
【図１７】
2008059617.tif 000019